(57)【要約】【課題】電子部品を搭載した電気製品のケース内の温度状態を、人的負荷及び導入コストを最低限に抑えながら簡易的に把握して、温度障害によるコンピュータのデータサービス停止などの電気製品のトラブルを未然に防止できるようにする。【解決手段】コンピュータなどの半導体回路や記録媒体駆動用ドライブなど電子部品の駆動発熱を逃がすための排気口部１１と該排気口部に電動排気ファン１２を設けた電子部品収納ケースＡの前記排気口部の近傍に取付け可能な取付け部材１と、該取付け部材に接続垂下した所定長さの紐体２と、前記排気により自由に羽ばたき揺動するように該紐体の自由下端部に取り付けた温度検知用の感温発色変色シート３とからなる。【選択図】図２
2008032597.tif 000002
【特許請求の範囲】
【請求項１】
コンピュータなどの半導体回路や記録媒体駆動用ドライブなど電子機器の駆動発熱を逃がすための排気口と該排気口部に電動排気ファンを設けた電子機器収納ケースの前記排気口部の近傍に取付け可能な取付け部材と、該取付け部材に接続垂下した所定長さの紐体と、前記排気ファンの排気エアー圧により自由に羽ばたき揺動するように該紐体の自由下端部に取り付けた温度検知用の感温発色変色シートとからなることを特徴とする電気機器収納ケース排気温度簡易測定装置。
【請求項２】
コンピュータなどの半導体回路や記録媒体駆動用ドライブなど電子機器の駆動発熱を逃がすための排気口と該排気口部に電動排気ファンを設けた電子機器収納ケースの前記排気口部の近傍に取付け可能な取付け部材と、該取付け部材に接続垂下した所定長さの帯状体と、前記排気ファンの排気エアー圧により自由に羽ばたき揺動するように該帯状体の自由下端部に取り付けた温度検知用の感温発色変色シートとからなることを特徴とする電子機器収納ケース排気温度簡易測定装置。
【請求項３】
前記温度検知用の感温発色変色シートは、基材シートに感温発色変色性インキなど示温材料を塗布して形成されていることを特徴とする請求項１又は２記載の電子機器収納ケース排気温度簡易測定装置。
【請求項４】
前記紐体又は帯状体の長さが、前記排気ファンの略直径であることを特徴とする請求項１乃至３のいずれか１項記載の電子機器収納ケース排気温度簡易測定装置。
【請求項５】
前記取付け部材が、クランプ、クリップ、マグネットであることを特徴とする請求項１乃至４のいずれか１項記載の電子機器収納ケース排気温度簡易測定装置。
【発明の詳細な説明】
【技術分野】
【０００１】
本発明は、コンピュータなどデータ処理装置の半導体回路や記録媒体駆動用ドライブなど電子機器の部品から発する駆動発熱温度を簡易に測定するための電子機器収納ケース排気温度簡易測定装置に関する。
【背景技術】
【０００２】
各業界の事務管理部門や製造部門、あるいは営業販売部門などには、多数のパソコン等のコンピュータや、コンピュータと併用するディスプレイ画面やデータ処理用メモリドライブなど各種の電子機器を搭載した電気製品が設置されている。これらの電気製品の電子機器は、連続した駆動による電力消費によってかなりの熱を発生し、この発熱が電子機器の寿命や耐久性を低下させる要因になっている。
【０００３】
例えば、データセンター等においてサーバ等を設置する場合も、ケース内に電子機器を搭載しており、また、最近のサーバは、データ処理速度が高速化されたことにより発熱量が増加しており、ケース内の温度上昇による障害も発生し易くなっていることから、温度管理も重要である。
【０００４】
一般にパソコンやメモリドライブ等の電子部品を搭載した電気機器は、金属製やプラスチック製、木材製のキャビネットや、ラックなどのケースの中に、その電子機器が収納されて搭載されていて、ケースの内部は、電気製品を連続的に使用している間に、電子機器の電子部品から発した熱が籠もり易く、そのために、ケースには、その熱をケース内より外部に逃がすための冷却用の排気ファン等が取り付けられているが、その発熱を十分に抑えきれない場合がある。
【０００５】
そのような場合の電気製品の発熱温度管理の方策として、温度計などの温度を測定できる装置を使って、定期的に電気製品１ケース毎にケース内の温度を測定することにより、発熱温度の温度管理をする方法があるが、温度測定に時間が掛かり、人件費が発生する。また、ケース内に温度測定装置を設置して、ケース内の発熱温度を温度センサーにより電子的に検知し、その検知信号に基づいて自動的に、排気ファンを駆動停止制御するようにして、ネットワークを通じて各ケース毎の温度情報を取得する方法もあるが、設備導入に高額費用が発生する。
【０００６】
このように電子機器等の発熱体を内蔵するケース内の温度を常時監視する装置の導入にはコストが掛かるため、このような温度管理が実施できない事例も多く見られる。
【０００７】
下記に本発明に関連する先行技術文献を記載する。
【特許文献１】特開平５−２２６８６８
【発明の開示】
【発明が解決しようとする課題】
【０００８】
本発明の課題は、電子部品を搭載した電気機器のケース内の温度状態を、人的負荷及び導入コストを最低限に抑えながら簡易的に把握して、温度障害によるコンピュータのデータサービス停止などの電気製品のトラブルを未然に防止できるようにすることにある。
【課題を解決するための手段】
【０００９】
本発明の請求項１に係る発明は、コンピュータなどの半導体回路や記録媒体駆動用ドラ
イブなど電子機器の駆動発熱を逃がすための排気口と該排気口部に電動排気ファンを設けた電子機器収納ケースの前記排気口部の近傍に取付け可能な取付け部材と、該取付け部材に接続垂下した所定長さの紐体と、前記排気ファンの排気エアー圧により自由に羽ばたき揺動するように該紐体の自由下端部に取り付けた温度検知用の感温発色変色シートとからなることを特徴とする電子機器収納ケース排気温度簡易測定装置である。
【００１０】
本発明の請求項２に係る発明は、コンピュータなどの半導体回路や記録媒体駆動用ドライブなど電子機器の駆動発熱を逃がすための排気口と該排気口部に電動排気ファンを設けた電子機器収納ケースの前記排気口部の近傍に取付け可能な取付け部材と、該取付け部材に接続垂下した所定長さの帯状体と、前記排気ファンの排気エアー圧により自由に羽ばたき揺動するように該帯状体の自由下端部に取り付けた温度検知用の感温発色変色シートとからなることを特徴とする電子機器収納ケース排気温度簡易測定装置である。
【００１１】
本発明の請求項３に係る発明は、上記請求項１又は２に係る電子機器収納ケース排気温度簡易測定装置において、前記温度検知用の感温発色変色シートは、基材シートに感温発色変色性インキなど示温材料を塗布して形成されていることを特徴とする電子機器収納ケース排気温度簡易測定装置である。
【００１２】
本発明の請求項４に係る発明は、上記請求項１乃至３のいずれか１項に係る電子機器収納ケース排気温度簡易測定装置において、前記紐体又は帯状体の長さが、前記排気ファンの略直径であることを特徴とする電子機器収納ケース排気温度簡易測定装置である。
【００１３】
本発明の請求項５に係る発明は、上記請求項１乃至４のいずれか１項に係る電子機器収納ケース排気温度簡易測定装置において、前記取付け部材が、クランプ、クリップ、マグネットであることを特徴とする電子機器収納ケース排気温度簡易測定装置である。
【発明の効果】
【００１４】
本発明の電子機器収納ケース排気温度簡易測定装置は、電子機器収納ケースの電動排気ファンを設けた排気口部の近傍に、その排気ファンの排気エアー圧により自由に羽ばたき揺動するように紐体の自由下端部に温度検知用の感温発色変色シートを取り付けものである。
【００１５】
本発明装置によれば、その収納ケースの排気ファンから排気するエアーにより、感温発色変色シートを靡かせて、その感温発色変色シートに設けた示温材料の色変化の発生を目視にて観察することにより、コンピュータなどデータ処理装置の半導体回路や記録媒体駆動用ドライブなど、電子機器収納ケース内に収納した電子部品から発する駆動発熱温度や収納ケース内温度を簡易に測定することが可能である。
【００１６】
また、前記排気ファンの排気エアー圧による感温発色変色シートの靡き方や羽ばたき方や翻り方により、排気ファンの故障発生の有無の判断が可能になる。このように、シートが靡かないと、排気ファンが故障していると判断ができるため、排気ファンの故障による収納ケース内温度の上昇を未然に防ぐことができ、ラックの側に近寄らなくても遠目にて目視による温度上昇状態の判断が可能になる。
【００１７】
そのため、電子機器を搭載した電気製品のケース内の温度状態を、温度障害の発生する温度以下に常に管理できるように、人的負荷及び導入コストを最低限に抑えながら、簡易的にケース内の温度を測定把握でき、温度障害によるコンピュータのデータサービス停止など、電気製品の温度障害によるトラブルを未然に防止できる効果がある。
【発明を実施するための最良の形態】
【００１８】
本発明の電子機器収納ケース排気温度簡易測定装置を、図１の正面図に基づいて以下に詳細に説明すれば、本発明の装置は、電子機器収納ケースＡの排気口部の近傍に取付け可能な取付け部材１を備え、該取付け部材１に所定長さの紐体２が接続垂下され、前記排気口部の排気により自由に羽ばたき揺動するように、所定長さの前記紐体２の自由下端部２ａに温度検知用の感温発色変色シート３が取り付けられている。
【００１９】
図２（ａ）は電子機器収納ケースＡの背面図、図２（ｂ）はその電子機器収納ケースＡの側面図であり、電子機器収納ケースＡは、例えば、コンピュータなどの半導体回路や記録媒体駆動用ドライブなど、該収納ケースＡ内に収納搭載した電子機器の駆動発熱を、該ケースＡの外側に逃がすための排気口部１１と、該排気口部１１からケースＡ内部の熱気を排出する電動回転する排気ファン１２が設けられているものである。
【００２０】
本発明における上記電子機器収納ケースＡは、駆動にて発熱する電子機器が収納されたものであれば、特に限定されるものではないが、例えば、ハイブリット型やパーソナル型のコンピュータなどデータ処理装置の半導体回路や記録媒体駆動用ドライブ、ネットワークによるデータサービスに使用されるデータ処理装置（サーバ）など電子機器が収納されているキャビネットやラック類である。
【００２１】
図１に示す本発明の装置は、図２（ａ）〜（ｂ）に示す上記電子機器収納ケースＡの排気口部１１の近傍に取付け部材１が取り付けられ、該取付け部材１に接続した所定長さＬの紐体２の先端部２ａに取り付けた温度検知用の感温発色変色シート３が、排気口部１１の排気ファン１２の回転半径内、又は該排気ファン１２の回転軸１２ａに、ケースａ外側に離間対向するように位置決めされて垂下されている。前記感温発色変色シート３の排気口部１１に対向する位置決めは、取付け部材１の電子機器収納ケースＡの外面に対する取り付け位置を、適正位置に移動して取り付けることにより行う。
【００２２】
本発明における前記取付け部材１の材質としては、上記電子機器収納ケースＡの材質（金属、非鉄金属、プラスチック等）に応じて、該取付け部材１を取り付け可能な材質であれば適宜に選定できる。また該取付け部材１の構造としては、電子機器収納ケースＡの外面に該取付け部材１を直接取り付け可能であれば、クランプ、クリップ、磁着用マグネット、接着テープ、粘着テープ（片面粘着テープ、両面粘着テープ）等であってもよい。
【００２３】
前記紐体２の長さＬは、取付け部材１を電子機器収納ケースＡの外面に取り付けた後において、感温発色変色シート３が、排気口部１１及び排気ファン１２の回転半径内、又は回転軸１２ａに正対するような長さが適当であり、例えば（紐体２の長さ）Ｌ＝（排気ファン１２の直径）２ｒが適当である。
【００２４】
本発明の装置の感温発色変色シート３は、基材シート３ａに感温発色変色性インキなど示温材料３ｂを塗布して形成されていて、取付け部材１に垂下した紐体２の自由下端部２ａ（先端部）に取り付けられ、前記排気口部１１の排気ファン１２によるケースＡ内の熱気を帯びた排気エアーａと接触して、自由に羽ばたき（ひるがえり、はためき）揺動するようになる。
【００２５】
これにより、感温発色変色シート３に設けた示温材料３ｂは、排気エアーａの温度近辺の温度にて、その示温材料３ｂに該当する色調（例えば、緑色系、赤色系、青色系、黄色系、茶色系等の示温色調）に発色又は変色する。そして、その発色又は変色した色調に該当する予め既知の発色温度又は変色温度（示温色調に対応する例えば５０℃〜１２０℃の範囲のいずれかの示温温度）を排気エアーａの温度として検知するものである。
【図面の簡単な説明】
【００２６】
【図１】本発明の電子機器収納ケース排気温度簡易測定装置の一例を説明する正面図。
【図２】（ａ）は本発明の電子機器収納ケース排気温度簡易測定装置を電子機器収納ケースの排気エアーに対向させて取り付けた一例を説明する背面図、（ｂ）は本発明の電子機器収納ケース排気温度簡易測定装置を電子機器収納ケースの排気エアーに対向させて取り付け測定する一例を説明する側面図。
【符号の説明】
【００２７】
Ａ…電子機器収納ケースＡ
１…取付け部材
２…紐体
３…感温発色変色シート３
１１…排気口部
１２…排気ファン
ａ…排気エアー
【図１】
2008032597.tif 000003
【図２】
2008032597.tif 000004